(57)【要約】【課題】利用者に娯楽感覚を楽ませる。【解決手段】操作受け付け部１３０が、携帯端末装置１００の外部から受け付けた操作に基づいて、制御部１４０が、少なくとも一部または周囲部分または近接部分が光を透過させる構造であるボタンキー１１０の背面から光を当てるバックライト１２０の点灯を制御する。【選択図】図１
2012244230.tif 000002
【特許請求の範囲】
【請求項１】
電子機器であって、
少なくとも一部または周囲部分または近接部分が光を透過させる構造であるボタンキーと、
点灯することで、前記ボタンキーの背面から光を当てるバックライトと、
当該電子機器の外部から操作を受け付ける操作受け付け部と、
前記操作受け付け部が受け付けた操作に基づいて、前記バックライトの点灯を制御する制御部とを有する電子機器。
【請求項２】
請求項１に記載の電子機器において、
前記操作受け付け部が受け付けた操作に基づいて、情報を表示する表示部を有することを特徴とする電子機器。
【請求項３】
請求項２に記載の電子機器において、
前記表示部は、タッチパネル機能を具備し、
前記操作受け付け部は、前記表示部への接触を前記操作として受け付けることを特徴とする電子機器。
【請求項４】
請求項３に記載の電子機器において、
前記制御部は、前記接触を検知した前記表示部上の位置に基づいて、前記バックライトの点灯を制御することを特徴とする電子機器。
【請求項５】
請求項２に記載の電子機器において、
前記操作受け付け部は、前記ボタンキーの押下を前記操作として受け付けることを特徴とする電子機器。
【請求項６】
請求項５に記載の電子機器において、
前記制御部は、前記表示部の表示に基づいて、前記バックライトの点灯を制御することを特徴とする電子機器。
【請求項７】
請求項５に記載の電子機器において、
前記制御部は、前記ボタンキーの押下の強さに基づいて、前記バックライトの点灯を制御することを特徴とする電子機器。
【請求項８】
電子機器に搭載された、少なくとも一部または周囲部分または近接部分が光を透過させる構造であるボタンキーの背面から光を当てるバックライトの点灯を制御するライト点灯制御方法であって、
前記電子機器の外部から操作を受け付ける処理と、
前記受け付けた操作に基づいて、前記バックライトの点灯を制御する処理とを行うライト点灯制御方法。
【請求項９】
点灯することで、少なくとも一部または周囲部分または近接部分が光を透過させる構造であるボタンキーの背面から光を当てるバックライトが搭載された電子機器に、
当該電子機器の外部から操作を受け付ける手順と、
前記受け付けた操作に基づいて、前記バックライトの点灯を制御する手順とを実行させるためのプログラム。
【発明の詳細な説明】
【技術分野】
【０００１】
本発明は、電子機器、電子機器におけるライト点灯制御方法およびプログラムに関する。
【背景技術】
【０００２】
一般的な携帯端末やＰＣ（Ｐｅｒｓｏｎａｌ  ｃｏｍｐｕｔｅｒ）等のボタンキーやキーボードを用いて情報を入力する電子機器においては、暗い場所でも利用者がボタンキー操作を行うことができるように、ボタンキーにバックライトが搭載されているものが多い。例えば、ボタンキーを透過性の部材で構成して、ボタンキー自体を光らせるものや、ボタンキーを非透過性の部材で構成し、ボタンキーの周囲を透過性の部材で構成して、ボタンキーの周囲を光らせるものや、様々な形態がある。なお、このボタンキーは、電子機器に搭載された、数字や文字を入力するための操作ボタンである。
【０００３】
また、携帯端末が所定のイベントの発生を検出すると、そのボタンキーの配列の一辺に沿って光の波紋が進むように、バックライトの輝度を制御する技術が考えられている（例えば、特許文献１参照。）。
【先行技術文献】
【特許文献】
【０００４】
【特許文献１】特開２０１０−２６８０８８号公報
【発明の概要】
【発明が解決しようとする課題】
【０００５】
しかしながら、単純にバックライトを光らせるものでは、利用者を引き付ける効果が薄いという問題点がある。
【０００６】
また、特許文献１に記載されたような技術においては、イベント（操作）の内容に関係なく、一概の発光パターンとなるため、これも利用者を引き付ける効果が薄いという問題点がある。
【０００７】
本発明の目的は、上述した課題を解決する電子機器、ライト点灯制御方法およびプログラムを提供することである。
【課題を解決するための手段】
【０００８】
本発明の電子機器は、
少なくとも一部または周囲部分または近接部分が光を透過させる構造であるボタンキーと、
点灯することで、前記ボタンキーの背面から光を当てるバックライトと、
当該電子機器の外部から操作を受け付ける操作受け付け部と、
前記操作受け付け部が受け付けた操作に基づいて、前記バックライトの点灯を制御する制御部とを有する。
【０００９】
また、本発明のライト点灯制御方法は、
電子機器に搭載された、少なくとも一部または周囲部分または近接部分が光を透過させる構造であるボタンキーの背面から光を当てるバックライトの点灯を制御するライト点灯制御方法であって、
前記電子機器の外部から操作を受け付ける処理と、
前記受け付けた操作に基づいて、前記バックライトの点灯を制御する処理とを行う。
【００１０】
また、本発明のプログラムは、
点灯することで、少なくとも一部または周囲部分または近接部分が光を透過させる構造であるボタンキーの背面から光を当てるバックライトが搭載された電子機器に実行させるためのプログラムであって、
当該電子機器の外部から操作を受け付ける手順と、
前記受け付けた操作に基づいて、前記バックライトの点灯を制御する手順とを実行させる。
【発明の効果】
【００１１】
以上説明したように、本発明においては、利用者が娯楽感覚を楽しむことができる。
【図面の簡単な説明】
【００１２】
【図１】本発明の電子機器の実施の一形態を示す図である。
【図２】図１に示した携帯端末装置の外観の一例を示す図である。
【図３】図２に示した破線Ａ−Ａ’に沿った携帯端末装置の断面の一部を示す図である。
【図４】一部が透過部材から構成されるボタンキーの一例を示す図である。
【図５】ボタンキーの周囲部分が透過性部材で構成される携帯端末装置の外観の一例を示す図である。
【図６】図５に示した破線で囲んだ部分の拡大図である。
【図７】図１に示した携帯端末装置におけるライト点灯制御方法を説明するためのフローチャートである。
【図８Ａ】バックライトの点灯パターンの第１の例を示す図である。
【図８Ｂ】バックライトの点灯パターンの第１の例を示す図である。
【図８Ｃ】バックライトの点灯パターンの第１の例を示す図である。
【図９Ａ】バックライトの点灯パターンの第２の例を示す図である。
【図９Ｂ】バックライトの点灯パターンの第２の例を示す図である。
【図９Ｃ】バックライトの点灯パターンの第２の例を示す図である。
【図１０Ａ】バックライトの点灯パターンの第３の例を示す図である。
【図１０Ｂ】バックライトの点灯パターンの第３の例を示す図である。
【図１０Ｃ】バックライトの点灯パターンの第３の例を示す図である。
【図１１Ａ】バックライトの点灯パターンの第４の例を示す図である。
【図１１Ｂ】バックライトの点灯パターンの第４の例を示す図である。
【図１１Ｃ】バックライトの点灯パターンの第４の例を示す図である。
【図１１Ｄ】バックライトの点灯パターンの第４の例を示す図である。
【図１２Ａ】電話番号「０６８１」のうち「０」が表示部に表示されたときのバックライトの点灯パターンの一例を示す図である。
【図１２Ｂ】電話番号「０６８１」のうち「０６」が表示部に表示されたときのバックライトの点灯パターンの一例を示す図である。
【図１２Ｃ】電話番号「０６８１」のうち「０６８」が表示部に表示されたときのバックライトの点灯パターンの一例を示す図である。
【図１２Ｄ】電話番号「０６８１」のうち「０６８１」すべてが表示部に表示されたときのバックライトの点灯パターンの一例を示す図である。
【図１３】携帯端末装置にあらかじめ記憶されている宛先アドレスと点灯対象のボタンキーとの対応付けの一例を示す図である。
【図１４】携帯端末装置にあらかじめ記憶されている押下の強さと点灯の明るさとの対応付けの一例を示す図である。
【図１５】バックライトの点灯の明るさを線形的に制御する場合の、押下の強さと明るさとの関係の一例を示す図である。
【図１６】ボタンキーの近接部分が透過性部材で構成される携帯端末装置の外観の一例を示す図である。
【図１７】図１６に示した破線で囲んだ部分の拡大図である。
【図１８Ａ】バックライトの点灯パターンの第６の例を示す図である。
【図１８Ｂ】バックライトの点灯パターンの第６の例を示す図である。
【図１８Ｃ】バックライトの点灯パターンの第６の例を示す図である。
【図１９Ａ】バックライトの点灯パターンの第７の例を示す図である。
【図１９Ｂ】バックライトの点灯パターンの第７の例を示す図である。
【図１９Ｃ】バックライトの点灯パターンの第７の例を示す図である。
【図１９Ｄ】バックライトの点灯パターンの第７の例を示す図である。
【図２０Ａ】バックライトの点灯パターンの第８の例を示す図である。
【図２０Ｂ】バックライトの点灯パターンの第８の例を示す図である。
【図２０Ｃ】バックライトの点灯パターンの第８の例を示す図である。
【図２０Ｄ】バックライトの点灯パターンの第８の例を示す図である。
【発明を実施するための形態】
【００１３】
以下に、本発明の実施の形態について図面を参照して説明する。
【００１４】
図１は、本発明の電子機器の実施の一形態を示す図である。
【００１５】
本形態における電子機器である携帯端末装置１００には図１に示すように、ボタンキー１１０と、バックライト１２０と、操作受け付け部１３０と、制御部１４０と、表示部１５０とが設けられている。なお、図１には、携帯端末装置１００が具備する構成要素のうち、本発明に関わるもののみを示した。
【００１６】
ボタンキー１１０は、利用者が情報を入力するために操作（押下）する物理キーである。また、ボタンキー１１０は、少なくとも一部または周囲部分が光を透過させる構造を持つ。このボタンキー１１０の構造の詳細については、後述する。
【００１７】
バックライト１２０は、点灯することで、ボタンキー１１０の背面から光を当てる照明デバイスである。
【００１８】
操作受け付け部１３０は、携帯端末装置１００の外部から、ボタンキー１１０（押下）や、タッチパネル機能を具備した表示部１５０（接触）を介して、情報の入力操作を受け付ける。
【００１９】
制御部１４０は、操作受け付け部１３０が受け付けた操作に基づいて、バックライト１２０の点灯を制御する。例えば、制御部１４０は、タッチパネル機能を具備した表示部１５０上で、接触を検知した位置（動きを含む）に基づいて、バックライト１２０の点灯を制御する。
【００２０】
表示部１５０は、情報を表示するディスプレイである。また、表示部１５０は、タッチパネル機能を具備するものであっても良い。
【００２１】
図２は、図１に示した携帯端末装置１００の外観の一例を示す図である。
【００２２】
図１に示した携帯端末装置１００の外観は図２に示すように、複数のボタンキー１１０と、表示部１５０とが設けられた一般的な携帯端末装置と同じもので良い。また、図２に示すように、ボタンキー１１０それぞれには、数字等の文字や記号が記載されているものが一般的である。
【００２３】
図３は、図２に示した破線Ａ−Ａ’に沿った携帯端末装置１００の断面の一部を示す図である。
【００２４】
図３に示すように、ボタンキー１１０の背面側にバックライト１２０が配置されており、バックライト１２０が点灯することで、ボタンキー１１０の背面から光が当てられる。また、ボタンキー１１０に、光を透過させる構造である透過部材を使用することで、バックライト１２０から当てられた光がボタンキー１１０を透過する。このとき、ボタンキー１１０すべてが透過部材から構成されるものであっても良いし、ボタンキー１１０の一部が透過部材から構成されるものであっても良い。
【００２５】
図４は、一部が透過部材から構成されるボタンキー１１０の一例を示す図である。
【００２６】
図４に示すように、数字の部分のみが透過性部材で構成され、それ以外の部分は非透過性部材で構成されるものであっても良い。
【００２７】
また、ボタンキー１１０の周囲部分が透過性部材で構成されるものであっても良い。
【００２８】
図５は、ボタンキー１１０の周囲部分が透過性部材で構成される携帯端末装置１００の外観の一例を示す図である。
【００２９】
図６は、図５に示した破線で囲んだ部分の拡大図である。
【００３０】
図６に示すように、ボタンキー１１０が非透過部材で構成され、ボタンキー１１０の周囲部分１６０が透過部材で構成されるものであっても良い。この周囲部分１６０の幅については、周囲部分１６０から光が透過することが外部から視認でき、また、隣接するボタンキー１１０の周囲部分１６０と極端に重なることがなければ良く、特に規定しない。
【００３１】
以下に、本形態におけるライト点灯制御方法について説明する。
【００３２】
図７は、図１に示した携帯端末装置１００におけるライト点灯制御方法を説明するためのフローチャートである。
【００３３】
まず、操作受け付け部１３０にて、所定の操作が受け付けられたかどうかが判別される（ステップＳ１）。
【００３４】
ここで、操作受け付け部１３０は、ボタンキー１１０が押下された場合、利用者によって行われた操作が受け付けられたと判別する。また、操作受け付け部１３０は、タッチパネル機能を具備した表示部１５０への接触があった場合、利用者によって行われた操作が受け付けられたと判別する。また、所定の操作は、表示部１５０上の所定の位置への接触、ボタンキー１１０の押下、電話の発信、電子メールの送信等、あらかじめ設定されている操作である。
【００３５】
操作受け付け部１３０にて、所定の操作が受け付けられたと判別されると、制御部１４０にて当該操作に基づいて、バックライト１２０の点灯が制御される（ステップＳ２）。
【００３６】
この点灯の制御は、点灯する位置、点灯する光の色、点灯する光の濃さ、点灯する光の明るさ等である。
【００３７】
以下に、携帯端末装置１００におけるライト点灯制御方法の具体的ないくつかの例を挙げて説明する。
【００３８】
第１の例として、利用者が、表示部１５０に表示されている画面を横方向へスクロールさせるために行う接触に応じて、バックライト１２０の点灯を制御する方法を挙げる。
【００３９】
図８Ａ〜８Ｃは、バックライト１２０の点灯パターンの第１の例を示す図である。図８Ａから図８Ｃにかけて、利用者が表示部１５０に接触している指を左側から右側へ移動させて、表示部１５０に表示されている画面を横方向へスクロールさせるときの様子を示す。
【００４０】
まず、図８Ａに示すように、利用者の指が表示部１５０の左側に接触している場合、ボタンキー１１０の左側の列の４つ（「１」、「４」、「７」、「＊」）の背面から光を当てるようにバックライト１２０が制御部１４０によって制御される。これにより、ボタンキー１１０の左側の列の４つ（「１」、「４」、「７」、「＊」）が光る。
【００４１】
次に、図８Ｂに示すように、表示部１５０の左側に接触している利用者の指が、表示部１５０の右方向へ移動し、指の接触位置が表示部１５０の中央付近になったとき、ボタンキー１１０の中央の列の４つ（「２」、「５」、「８」、「０」）の背面から光を当てるようにバックライト１２０が制御部１４０によって制御される。これにより、ボタンキー１１０の中央の列の４つ（「２」、「５」、「８」、「０」）が光る。
【００４２】
さらに、図８Ｃに示すように、表示部１５０の中央付近に接触している利用者の指が、表示部１５０の右方向へ移動し、指の接触位置が表示部１５０の右側になったとき、ボタンキー１１０の右側の列の４つ（「３」、「６」、「９」、「＃」）の背面から光を当てるようにバックライト１２０が制御部１４０によって制御される。これにより、ボタンキー１１０の右側の列の４つ（「３」、「６」、「９」、「＃」）が光る。
【００４３】
このように、画面をスクロールさせるために表示部１５０に接触している指を移動させている場合、表示部１５０上の指の接触位置に応じた列のボタンキー１１０が光るようにバックライト１２０の点灯を制御することで、スクロールの操作を視覚的にサポートすることができる。
【００４４】
なお、左側、中央付近および右側それぞれの間の境界（位置切り替え境界）については、厳密に規定する必要はなく、相応するボタンキー１１０の位置に応じていることが認識できるものであれば良い（以下の説明について同じ）。
【００４５】
また、１つの列に属する４つのボタンキー１１０すべてではなく、その列に属する１つのボタンキー１１０の背面から光を当てるようにバックライト１２０が制御部１４０によって制御されるものであっても良い。
【００４６】
また、点灯ではなく、所定の間隔の点滅であっても良い。
【００４７】
また、第２の例として、利用者が、表示部１５０に表示されている画面を横方向へスクロールさせるために行う接触に応じて、バックライト１２０の点灯を制御する方法のうち、点灯の色を制御する方法を挙げる。
【００４８】
図９Ａ〜９Ｃは、バックライト１２０の点灯パターンの第２の例を示す図である。図９Ａから図９Ｃにかけて、利用者が表示部１５０に接触している指を左側から右側へ移動させて、表示部１５０に表示されている画面を横方向へスクロールさせるときの様子を示す。
【００４９】
まず、図９Ａに示すように、利用者の指が表示部１５０の左側に接触している場合、ボタンキー１１０の左側の列の４つ（「１」、「４」、「７」、「＊」）の背面から赤の色の光を当てるようにバックライト１２０が制御部１４０によって制御される。これにより、ボタンキー１１０の左側の列の４つ（「１」、「４」、「７」、「＊」）が赤く光る。また、それ以外のボタンキー１１０（「２」、「３」、「５」、「６」、「８」、「９」、「０」、「＃」）の背面から青の色の光を当てるようにバックライト１２０が制御部１４０によって制御される。これにより、ボタンキー１１０の中央および右側の列の８つ（「２」、「３」、「５」、「６」、「８」、「９」、「０」、「＃」）が青く光る。
【００５０】
次に、図９Ｂに示すように、表示部１５０の左側に接触している利用者の指が、表示部１５０の右方向へ移動し、指の接触位置が表示部１５０の中央付近になったとき、ボタンキー１１０の中央の列の４つ（「２」、「５」、「８」、「０」）の背面から赤の色の光を当てるようにバックライト１２０が制御部１４０によって制御される。これにより、ボタンキー１１０の中央の列の４つ（「２」、「５」、「８」、「０」）が赤く光る。また、それ以外のボタンキー１１０（「１」、「３」、「４」、「６」、「７」、「９」、「＊」、「＃」）の背面から青の色の光を当てるようにバックライト１２０が制御部１４０によって制御される。これにより、ボタンキー１１０の左側および右側の列の８つ（「１」、「３」、「４」、「６」、「７」、「９」、「＊」、「＃」）が青く光る。
【００５１】
さらに、図９Ｃに示すように、表示部１５０の中央付近に接触している利用者の指が、表示部１５０の右方向へ移動し、指の接触位置が表示部１５０の右側になったとき、ボタンキー１１０の右側の列の４つ（「３」、「６」、「９」、「＃」）の背面から赤い色の光を当てるようにバックライト１２０が制御部１４０によって制御される。これにより、ボタンキー１１０の右側の列の４つ（「３」、「６」、「９」、「＃」）が赤く光る。また、それ以外のボタンキー１１０（「１」、「２」、「４」、「５」、「７」、「８」、「＊」、「０」）の背面から青の色の光を当てるようにバックライト１２０が制御部１４０によって制御される。これにより、ボタンキー１１０の左側および中央の列の８つ（「１」、「２」、「４」、「５」、「７」、「８」、「＊」、「０」）が青く光る。
【００５２】
このように、画面をスクロールさせるために表示部１５０に接触している指を移動させている場合、表示部１５０上の指の接触位置に応じた列のボタンキー１１０が、それ以外の列のボタンキー１１０と異なる色で光るようにバックライト１２０の点灯を制御することで、スクロールの操作を視覚的にサポートすることができる。
【００５３】
なお、互いに若干異なる色を用いることで、グラデーション点灯をさせるものであっても良い。
【００５４】
また、第３の例として、利用者が、表示部１５０に表示されている画面を横方向へスクロールさせるために行う接触に応じて、バックライト１２０の点灯を制御する方法のうち、点灯の光の明るさを制御する方法を挙げる。
【００５５】
図１０Ａ〜１０Ｃは、バックライト１２０の点灯パターンの第３の例を示す図である。図１０Ａから図１０Ｃにかけて、利用者が表示部１５０に接触している指を左側から右側へ移動させて、表示部１５０に表示されている画面を横方向へスクロールさせるときの様子を示す。
【００５６】
まず、図１０Ａに示すように、利用者の指が表示部１５０の左側に接触している場合、ボタンキー１１０の左側の列の４つ（「１」、「４」、「７」、「＊」）の背面から明るい光を当てるようにバックライト１２０が制御部１４０によって制御される。これにより、ボタンキー１１０の左側の列の４つ（「１」、「４」、「７」、「＊」）が明るく光る。また、それ以外のボタンキー１１０（「２」、「３」、「５」、「６」、「８」、「９」、「０」、「＃」）の背面から暗い光を当てるようにバックライト１２０が制御部１４０によって制御される。これにより、ボタンキー１１０の中央および右側の列の８つ（「２」、「３」、「５」、「６」、「８」、「９」、「０」、「＃」）が暗く光る。
【００５７】
次に、図１０Ｂに示すように、表示部１５０の左側に接触している利用者の指が、表示部１５０の右方向へ移動し、指の接触位置が表示部１５０の中央付近になったとき、ボタンキー１１０の中央の列の４つ（「２」、「５」、「８」、「０」）の背面から明るい光を当てるようにバックライト１２０が制御部１４０によって制御される。これにより、ボタンキー１１０の中央の列の４つ（「２」、「５」、「８」、「０」）が明るく光る。また、それ以外のボタンキー１１０（「１」、「３」、「４」、「６」、「７」、「９」、「＊」、「＃」）の背面から暗い光を当てるようにバックライト１２０が制御部１４０によって制御される。これにより、ボタンキー１１０の左側および右側の列の８つ（「１」、「３」、「４」、「６」、「７」、「９」、「＊」、「＃」）が暗く光る。
【００５８】
さらに、図１０Ｃに示すように、表示部１５０の中央付近に接触している利用者の指が、表示部１５０の右方向へ移動し、指の接触位置が表示部１５０の右側になったとき、ボタンキー１１０の右側の列の４つ（「３」、「６」、「９」、「＃」）の背面から明るい光を当てるようにバックライト１２０が制御部１４０によって制御される。これにより、ボタンキー１１０の右側の列の４つ（「３」、「６」、「９」、「＃」）が明るく光る。また、それ以外のボタンキー１１０（「１」、「２」、「４」、「５」、「７」、「８」、「＊」、「０」）の背面から暗い光を当てるようにバックライト１２０が制御部１４０によって制御される。これにより、ボタンキー１１０の左側および中央の列の８つ（「１」、「２」、「４」、「５」、「７」、「８」、「＊」、「０」）が暗く光る。
【００５９】
ここで、「明るい光」と「暗い光」とは、互いに比較して「明るい」または「暗い」と認識できるものであれば良い。
【００６０】
このように、画面をスクロールさせるために表示部１５０に接触している指を移動させている場合、表示部１５０上の指の接触位置に応じた列のボタンキー１１０が、それ以外の列のボタンキー１１０と異なる明るさで光るようにバックライト１２０の点灯を制御することで、スクロールの操作を視覚的にサポートすることができる。
【００６１】
また、色の濃さを異なるものとして、同様の処理を行うものであっても良い。
【００６２】
また、横方向のスクロールでは、表示部１５０上の指の接触位置が右側から左側へ移動する場合も、同様の処理が行われることは言うまでもない。
【００６３】
また、利用者が、表示部１５０に表示されている画面を縦方向へスクロールさせるために行う接触に応じて、バックライト１２０の点灯を制御するものであっても良い。
【００６４】
第４の例として、利用者が、表示部１５０に表示されている画面を縦方向へスクロールさせるために行う接触に応じて、バックライト１２０の点灯を制御する方法を挙げる。
【００６５】
図１１Ａ〜１１Ｄは、バックライト１２０の点灯パターンの第４の例を示す図である。図１１Ａから図１１Ｄにかけて、利用者が表示部１５０に接触している指を上側から下側へ移動させて、表示部１５０に表示されている画面を縦方向へスクロールさせるときの様子を示す。第４の例では、表示部１５０を縦に４つの領域に分けている。表示部１５０の上側から、第１の領域、第２の領域、第３の領域、第４の領域とする。なお、各領域の境界は、厳密に規定する必要はなく、相応するボタンキー１１０の位置に応じていることが認識できるものであれば良い。
【００６６】
まず、図１１Ａに示すように、利用者の指が表示部１５０の第１の領域に接触している場合、ボタンキー１１０の最上段の３つ（「１」、「２」、「３」）の背面から光を当てるようにバックライト１２０が制御部１４０によって制御される。これにより、ボタンキー１１０の最上段の３つ（「１」、「２」、「３」）が光る。
【００６７】
次に、図１１Ｂに示すように、表示部１５０の第１の領域に接触している利用者の指が、表示部１５０の下方向へ移動し、指の接触位置が表示部１５０の第２の領域になったとき、ボタンキー１１０の上から２段目の３つ（「４」、「５」、「６」）の背面から光を当てるようにバックライト１２０が制御部１４０によって制御される。これにより、ボタンキー１１０の上から２段目の３つ（「４」、「５」、「６」）が光る。
【００６８】
次に、図１１Ｃに示すように、表示部１５０の第２の領域に接触している利用者の指が、さらに表示部１５０の下方向へ移動し、指の接触位置が表示部１５０の第３の領域になったとき、ボタンキー１１０の上から３段目の３つ（「７」、「８」、「９」）の背面から光を当てるようにバックライト１２０が制御部１４０によって制御される。これにより、ボタンキー１１０の上から３段目の３つ（「７」、「８」、「９」）が光る。
【００６９】
さらに、図１１Ｄに示すように、表示部１５０の第３の領域に接触している利用者の指が、さらに表示部１５０の下方向へ移動し、指の接触位置が表示部１５０の第４の領域になったとき、ボタンキー１１０の最下段の３つ（「＊」、「０」、「＃」）の背面から光を当てるようにバックライト１２０が制御部１４０によって制御される。これにより、ボタンキー１１０の最下段の３つ（「＊」、「０」、「＃」）が光る。
【００７０】
なお、１つの段に属する３つのボタンキー１１０すべてではなく、その段に属する１つのボタンキー１１０の背面から光を当てるようにバックライト１２０が制御部１４０によって制御されるものであっても良い。
【００７１】
また、表示部１５０上の指の接触位置が下側から上側へ移動する場合も、同様の処理が行われることは言うまでもない。
【００７２】
また、利用者が表示部１５０上を斜めに触れた場合、その斜め方向に応じたボタンキー１１０が光るようにバックライト１２０の点灯が制御部１４０によって制御されるものであっても良い。例えば、表示部１５０の左下から右上への接触の移動があった場合、ボタンキー１１０が「７」、「５」、「３」の順で光るようにバックライト１２０の点灯が制御部１４０によって制御されるものであっても良い。
【００７３】
このように、画面をスクロールさせるために表示部１５０に接触している指を移動させている場合、表示部１５０上の指の接触位置に応じた列のボタンキー１１０が光るようにバックライト１２０の点灯を制御することで、スクロールの操作を視覚的にサポートすることができる。
【００７４】
なお、上述したスクロール時の処理において、スクロール画面が末端まで到達し、それ以上のスクロールができなくなった場合、制御部１４０が全てのボタンキー１１０に光を当てるようにバックライト１２０を点灯させたり、すべてのボタンキー１１０に対して互いに同じタイミングで光を当てるようにバックライト１２０の点灯を制御したり、ボタンキー１１０に所定のパターンで光を当てるようにバックライト１２０の点灯を制御したりして、これ以上のスクロールができないことを視覚的にサポートするものであっても良い。
【００７５】
また、スクロール操作ではなく、本のページをめくるようなフリック操作に基づいて、上述した処理が行われるものであっても良い。
【００７６】
また、表示部１５０にてタップ接触の操作があったとき、ボタンキー１１０の「５」のキーの背面に光を当てるようにバックライト１２０を点灯させ、その後、ボタンキーの「１」、「２」、「３」、「４」、「６」、「７」、「８」、「９」の背面に光を当てるようにバックライト１２０を点灯させて、光が広がるような点灯をさせるものであっても良い。また、表示部１５０にてダブルタップ接触の操作があったときは、上述した動作を２回繰り返すものであっても良い。
【００７７】
また、表示部１５０に所定の時間以上の連続の接触（ボタンキー１１０の長押しも含む）があった場合、ボタンキー１１０すべての背面から光を当てるようにバックライト１２０が制御部１４０によって制御されるものであっても良い。
【００７８】
また、表示部１５０における表示に基づいて、制御部１４０がバックライト１２０の点灯を制御するものであっても良い。
【００７９】
第５の例として、表示部１５０に表示されている情報に応じて、バックライト１２０の点灯を制御する方法を挙げる。ここでは、利用者がボタンキー１１０を押下や、表示部１５０への接触の操作で入力された情報に基づいて携帯端末装置１００に記憶されている電話帳からある電話番号（以下、「０６８１」である場合を例に挙げる）が読み出され、表示部１５０に当該電話番号が１ケタずつ表示されて発信したときの処理を説明する。
【００８０】
図１２Ａは、電話番号「０６８１」のうち「０」が表示部１５０に表示されたときのバックライト１２０の点灯パターンの一例を示す図である。
【００８１】
図１２Ａに示すように、電話番号「０６８１」のうち「０」が表示部１５０に表示されると、ボタンキー１１０のうち「０」の背面から光を当てるようにバックライト１２０が制御部１４０によって制御される。これにより、ボタンキー１１０のうち「０」が光る。
【００８２】
図１２Ｂは、電話番号「０６８１」のうち「０６」が表示部１５０に表示されたときのバックライト１２０の点灯パターンの一例を示す図である。
【００８３】
図１２Ｂに示すように、図１２Ａに示した状態（電話番号「０６８１」のうち「０」が表示部１５０に表示された状態）から、「０」に続いて「６」が表示されることで、表示部１５０に「０６」が表示されると、ボタンキー１１０のうち「６」の背面から光を当てるようにバックライト１２０が制御部１４０によって制御される。これにより、ボタンキー１１０のうち「６」が光る。
【００８４】
図１２Ｃは、電話番号「０６８１」のうち「０６８」が表示部１５０に表示されたときのバックライト１２０の点灯パターンの一例を示す図である。
【００８５】
図１２Ｃに示すように、図１２Ｂに示した状態（電話番号「０６８１」のうち「０６」が表示部１５０に表示された状態）から、「０６」に続いて「８」が表示されることで、表示部１５０に「０６８」が表示されると、ボタンキー１１０のうち「８」の背面から光を当てるようにバックライト１２０が制御部１４０によって制御される。これにより、ボタンキー１１０のうち「８」が光る。
【００８６】
図１２Ｄは、電話番号「０６８１」のうち「０６８１」すべてが表示部１５０に表示されたときのバックライト１２０の点灯パターンの一例を示す図である。
【００８７】
図１２Ｄに示すように、図１２Ｃに示した状態（電話番号「０６８１」のうち「０６８」が表示部１５０に表示された状態）から、「０６８」に続いて「１」が表示されることで、表示部１５０に「０６８１」が表示されると、ボタンキー１１０のうち「１」の背面から光を当てるようにバックライト１２０が制御部１４０によって制御される。これにより、ボタンキー１１０のうち「１」が光る。
【００８８】
このように、発信先の電話番号の表示に応じて、その番号に対応するボタンキー１１０が光るようにバックライト１２０の点灯を制御することで、発信番号の認識を視覚的にサポートすることができる。
【００８９】
また、表示部１５０に表示されているウィンドウが開いたとき、ボタンキー１１０の「５」のキーの背面に光を当てるようにバックライト１２０を点灯させ、その後、ボタンキーの「１」、「２」、「３」、「４」、「６」、「７」、「８」、「９」の背面に光を当てるようにバックライト１２０を点灯させて、光が広がるような点灯をさせるものであっても良い。また、当該ウィンドウが閉じるときは、その逆の動作が行われるものであっても良い。
【００９０】
また、プルダウンメニューが表示部１５０に表示されたとき、図１１Ａ〜１１Ｄを用いて説明したような動作が行われるものであっても良い。
【００９１】
また、電子メールを送信する際、当該電子メールの宛先アドレスに基づいて、バックライト１２０の点灯を制御するものであっても良い。つまり、宛先アドレスと、点灯対象となるボタンキー１１０とをあらかじめ対応付けて記憶しておき、電子メールを送信する際に、当該電子メールの宛先アドレスと対応付けられているボタンキー１１０を読み出して、読み出されたボタンキー１１０の背面から光を当てるようにバックライト１２０を制御するものであっても良い。
【００９２】
図１３は、携帯端末装置１００にあらかじめ記憶されている宛先アドレスと点灯対象のボタンキー１１０との対応付けの一例を示す図である。
【００９３】
図１３に示すように、宛先アドレスと点灯対象のボタンキー１１０とが対応付けられて記憶されている。この対応付けは、携帯端末装置１００に設けられたメモリ（不図示）に記憶されている。
【００９４】
例えば図１３に示すように、宛先アドレス「ＡＡＡ＠ａｂｃ．ｎｅ．ｊｐ」と点灯対象ボタンキー「１」とが対応付けられて記憶されている。この対応付けにより、宛先アドレス「ＡＡＡ＠ａｂｃ．ｎｅ．ｊｐ」へ電子メールを送信するとき、ボタンキー１１０のうち「１」の背面から光を当てるようにバックライト１２０が制御部１４０によって制御される。また、宛先アドレス「ＢＢＢ＠ａｂｃ．ｎｅ．ｊｐ」と点灯対象ボタンキー「２」とが対応付けられて記憶されている。この対応付けにより、宛先アドレス「ＢＢＢ＠ａｂｃ．ｎｅ．ｊｐ」へ電子メールを送信するとき、ボタンキー１１０のうち「２」の背面から光を当てるようにバックライト１２０が制御部１４０によって制御される。また、宛先アドレス「ＣＣＣ＠ｘｙｚ．ｎｅ．ｊｐ」と点灯対象ボタンキー「３」とが対応付けられて記憶されている。この対応付けにより、宛先アドレス「ＣＣＣ＠ｘｙｚ．ｎｅ．ｊｐ」へ電子メールを送信するとき、ボタンキー１１０のうち「３」の背面から光を当てるようにバックライト１２０が制御部１４０によって制御される。
【００９５】
また、電子メールを送信する際、その電子メールの件名（タイトル）や本文を作成するときに操作したボタンキー１１０の背面から光を当てるようにバックライト１２０が制御部１４０によって制御されるものであっても良い。
【００９６】
また、押下されたボタンキー１１０が光るようにバックライト１２０の点灯を制御するものであっても良い。さらに、押下の強さに応じて、バックライト１２０の点灯の明るさや色の濃さを制御するものであっても良い。この場合、押下の強さと点灯の明るさや色の濃さとをあらかじめ対応付けて携帯端末装置１００が記憶しておき、その記憶された対応付けに基づいて、バックライト１２０が制御されるものであっても良い。
【００９７】
図１４は、携帯端末装置１００にあらかじめ記憶されている押下の強さと点灯の明るさとの対応付けの一例を示す図である。
【００９８】
図１４に示すように、押下の強さと点灯の明るさとが対応付けられて記憶されている。この対応付けは、携帯端末装置１００に設けられたメモリ（不図示）に記憶されている。
【００９９】
例えば図１４に示すように、押下の強さ「強」と明るさ「明るい」とが対応付けられて記憶されている。この対応付けにより、ボタンキー１１０が強い力で押下された場合、当該ボタンキー１１０の背面から明るい光を当てるようにバックライト１２０が制御部１４０によって制御される。また、押下の強さ「中」と明るさ「普通」とが対応付けられて記憶されている。この対応付けにより、ボタンキー１１０が中程度の力で押下された場合、当該ボタンキー１１０の背面から普通の明るさの光を当てるようにバックライト１２０が制御部１４０によって制御される。また、押下の強さ「弱」と明るさ「暗い」とが対応付けられて記憶されている。この対応付けにより、ボタンキー１１０が弱い力で押下された場合、当該ボタンキー１１０の背面から暗い光を当てるようにバックライト１２０が制御部１４０によって制御される。
【０１００】
ここで、押下されたボタンキー１１０だけではなく、すべてのボタンキー１１０の背面から、押下の強さに応じた明るさの光を当てるようにバックライト１２０が制御部１４０によって制御されるものであっても良い。
【０１０１】
なお、押下の強さは、ボタンキー１１０の背面側に圧力測定器を設け、当該圧力測定器でボタンキー１１０の押下の強さを測定するものであっても良い。
【０１０２】
また、押下の強さが、「強」に相当するものか、「中」に相当するものか、または「弱」に相当するものかの判別は、２つの閾値をあらかじめ設けておき、圧力測定器の測定結果と２つの閾値との比較に基づいて行うもので良い。
【０１０３】
また、図１４のように、３つの明るさのレベルに制御するものではなく、押下の強さに応じた明るさを線形的に制御するものであっても良い。
【０１０４】
図１５は、バックライト１２０の点灯の明るさを線形的に制御する場合の、押下の強さと明るさとの関係の一例を示す図である。
【０１０５】
図１５に示すように、ボタンキー１１０の押下の強さが強くなればなるほど、バックライト１２０の点灯の明るさが明るくなるように線形的に制御されるものであっても良い。
【０１０６】
また、この押下の強さに基づいた点灯の明るさの制御は、ボタンキー１１０の押下に基づくものだけではなく、表示部１５０への押下（接触）の強さに基づいて制御されるものであっても良い。
【０１０７】
また、ボタンキー１１０の近接部分が透過性部材で構成されるものであっても良い。
【０１０８】
図１６は、ボタンキー１１０の近接部分が透過性部材で構成される携帯端末装置１００の外観の一例を示す図である。
【０１０９】
図１７は、図１６に示した破線で囲んだ部分の拡大図である。
【０１１０】
図１７に示すように、ボタンキー１１０が非透過部材で構成され、ボタンキー１１０の近接部分１７０が透過部材で構成されるものであっても良い。このボタンキー１１０から近接部分１７０までの距離については、近接部分１７０にて光が透過したときに、どのボタンキー１１０に近い近接部分１７０が点灯していることが外部から視認でき、また、ボタンキー１１０やほかの近接部分１７０と重なることがなければ良く、特に規定しない。また、近接部分１７０の形状についても、規定しない。
【０１１１】
第６の例として、図１６に示した携帯端末装置１００において、表示部１５０に表示されている画面が横方向へ移動したときのバックライト１２０の点灯を制御する方法を挙げる。
【０１１２】
図１８Ａ〜１８Ｃは、バックライト１２０の点灯パターンの第６の例を示す図である。図１８Ａから図１８Ｃにかけて、利用者が表示部１５０に接触している指を左側から右側へ移動させたり、電子書籍のページめくりを行ったり、スライドショーを用いたりすることで、表示部１５０に表示されている画面が横方向へスクロールしたときの様子を示す。
【０１１３】
まず、図１８Ａに示すように、第１の画面（縦横格子模様）と第２の画面（斜め格子模様）との境界が、表示部１５０の左側に位置している場合、ボタンキー１１０の左側の列の４つ（「１」、「４」、「７」、「＊」）の近接部分１７０の背面から光を当てるようにバックライト１２０が制御部１４０によって制御される。これにより、ボタンキー１１０の左側の列の４つ（「１」、「４」、「７」、「＊」）の近接部分１７０が光る。
【０１１４】
続いて、図１８Ｂに示すように、第１の画面と第２の画面との境界が、表示部１５０の右方向へ移動し、当該境界の表示位置が表示部１５０の中央付近になったとき、ボタンキー１１０の中央の列の４つ（「２」、「５」、「８」、「０」）の近接部分１７０の背面から光を当てるようにバックライト１２０が制御部１４０によって制御される。これにより、ボタンキー１１０の中央の列の４つ（「２」、「５」、「８」、「０」）の近接部分１７０が光る。
【０１１５】
さらに、図１８Ｃに示すように、第１の画面と第２の画面との境界が、表示部１５０の右方向へ移動し、当該境界の表示位置が表示部１５０の右側になったとき、ボタンキー１１０の右側の列の４つ（「３」、「６」、「９」、「＃」）の近接部分１７０の背面から光を当てるようにバックライト１２０が制御部１４０によって制御される。これにより、ボタンキー１１０の右側の列の４つ（「３」、「６」、「９」、「＃」）の近接部分１７０が光る。
【０１１６】
このように、２つの画面の境界が移動している場合、当該境界の表示位置に応じた列のボタンキー１１０の近接部分１７０が光るようにバックライト１２０の点灯を制御することで、画面移動を視覚的にサポートすることができる。
【０１１７】
なお、１つの列に属する４つのボタンキー１１０の近接部分１７０すべてではなく、その列に属する一部のボタンキー１１０の近接部分１７０の背面から光を当てるようにバックライト１２０が制御部１４０によって制御されるものであっても良い。
【０１１８】
また、点灯ではなく、所定の間隔の点滅であっても良い。
【０１１９】
また、２つの画面の境界に相当する複数のボタンキー１１０を互いに異なる色に点灯させるものであっても良い。
【０１２０】
第７の例として、図２に示した携帯端末装置１００において、表示部１５０に表示されている画面が横方向へ移動したときのバックライト１２０の点灯を制御する方法のうち、２つの画面の境界に相当する複数のボタンキー１１０を互いに異なる色に点灯させる方法を挙げる。
【０１２１】
図１９Ａ〜１９Ｄは、バックライト１２０の点灯パターンの第７の例を示す図である。図１９Ａから図１９Ｄにかけて、利用者が表示部１５０に接触している指を左側から右側へ移動させたり、電子書籍のページめくりを行ったり、スライドショーを用いたりすることで、表示部１５０に表示されている画面が横方向へスクロールしたときの様子を示す。ここで、図１９Ａ〜１９Ｄに示すように、表示部１５０が３つの領域に分割されている（上述したものと同じ）。この領域の境界（位置切り替え境界）を破線で示す。
【０１２２】
まず、図１９Ａに示すように、第１の画面（縦横格子模様）と第２の画面（斜め格子模様）との境界が、表示部１５０の左側に位置している場合、ボタンキー１１０の左側の列の４つ（「１」、「４」、「７」、「＊」）の背面から光を当てるようにバックライト１２０が制御部１４０によって制御される。これにより、ボタンキー１１０の左側の列の４つ（「１」、「４」、「７」、「＊」）が光る。このとき、この左側の列の４つのボタンキー１１０が互いに異なる色で光るように制御される。例えば、図１９Ａに示すように、「１」が黄色、「４」が緑、「７」が水色、「＊」が紫というように、色が制御される。
【０１２３】
続いて、図１９Ｂに示すように、第１の画面と第２の画面との境界が、表示部１５０の右方向へ移動し、破線で示した位置切り替え境界（図１９Ｂでは、太い破線）を超えて当該画面の境界の表示位置が表示部１５０の中央付近になったとき、ボタンキー１１０の中央の列の４つ（「２」、「５」、「８」、「０」）の背面から光を当てるようにバックライト１２０が制御部１４０によって制御される。これにより、ボタンキー１１０の中央の列の４つ（「２」、「５」、「８」、「０」）が光る。このとき、この中央の列の４つのボタンキー１１０が互いに異なる色で光るように制御される。例えば、図１９Ｂに示すように、「２」が赤、「５」が橙、「８」が小豆色、「０」が黄緑というように、色が制御される。
【０１２４】
さらに、図１９Ｃに示すように、第１の画面と第２の画面との境界が、表示部１５０の右方向へ移動し、破線で示した位置切り替え境界（図１９Ｃでは、太い破線）を超えて当該境界の表示位置が表示部１５０の右側になったとき、ボタンキー１１０の右側の列の４つ（「３」、「６」、「９」、「＃」）の背面から光を当てるようにバックライト１２０が制御部１４０によって制御される。これにより、ボタンキー１１０の右側の列の４つ（「３」、「６」、「９」、「＃」）が光る。このとき、この右側の列の４つのボタンキー１１０が互いに異なる色で光るように制御される。例えば、図１９Ｃに示すように、「３」が濃緑、「６」が青、「９」が黄緑、「＃」が茶色というように、色が制御される。
【０１２５】
さらに、図１９Ｄに示すように、表示部１５０の左側から第３の画面（ドット模様）が表示されてくると、第２の画面と第３の画面との境界が、表示部１５０の左側に位置している場合、ボタンキー１１０の左側の列の４つ（「１」、「４」、「７」、「＊」）の背面から光を当てるようにバックライト１２０が制御部１４０によって制御される。これにより、ボタンキー１１０の左側の列の４つ（「１」、「４」、「７」、「＊」）が光る。このとき、この左側の列の４つのボタンキー１１０が互いに異なる色で光るように制御される。例えば、図１９Ｄに示すように、「１」が黄色、「４」が緑、「７」が水色、「＊」が紫というように、色が制御される。
【０１２６】
なお、上述した例では、２つの画面の境界で説明したが、３つ以上の画面の境界でも適用可能である。
【０１２７】
また、画面の縦方向の移動や斜め方向の移動でも同様の点灯制御が行われる。また同様に、画面中央から外側へ画面が徐々に切り替わっていく移動であっても、例えば、中央のボタンキー１１０（「５」や「８」）の点灯から、外側のボタンキー１１０（「１」、「２」、「３」、「４」、「６」、「７」、「９」、「＊」、「０」、「＃」）の点灯へ制御するものであっても良い。
【０１２８】
第８の例として、図２に示した携帯端末装置１００において、利用者が表示部１５０に接触している指の接触位置を移動したときのバックライト１２０の点灯を制御する方法のうち、接触した位置に相当する複数のボタンキー１１０を互いに異なる色に点灯させる方法を挙げる。
【０１２９】
図２０Ａ〜２０Ｄは、バックライト１２０の点灯パターンの第８の例を示す図である。図２０Ａから図２０Ｄにかけて、利用者が表示部１５０に接触している指を移動させることで、表示部１５０に表示されている画面が横方向へスクロールしたときの様子を示す。ここで、図２０Ａ〜２０Ｄに示すように、表示部１５０が３つの領域に分割されている（上述したものと同じ）。この領域の境界（位置切り替え境界）を破線で示す。
【０１３０】
まず、図２０Ａに示すように、利用者の指が表示部１５０の中央付近に接触している場合、ボタンキー１１０の中央の列の４つ（「２」、「５」、「８」、「０」）の背面から光を当てるようにバックライト１２０が制御部１４０によって制御される。これにより、ボタンキー１１０の中央の列の４つ（「２」、「５」、「８」、「０」）が光る。このとき、この中央の列の４つのボタンキー１１０が互いに異なる色で光るように制御される。例えば、図２０Ａに示すように、「２」が赤、「５」が橙、「８」が小豆色、「０」が黄緑というように、色が制御される。
【０１３１】
続いて、図２０Ｂに示すように、表示部１５０の中央付近に接触している利用者の指が、表示部１５０の右方向へ移動し、指の接触位置が表示部１５０の右側になったとき、ボタンキー１１０の右側の列の４つ（「３」、「６」、「９」、「＃」）の背面から光を当てるようにバックライト１２０が制御部１４０によって制御される。これにより、ボタンキー１１０の右側の列の４つ（「３」、「６」、「９」、「＃」）が光る。このとき、この右側の列の４つのボタンキー１１０が互いに異なる色で光るように制御される。例えば、図２０Ｂに示すように、「３」が濃緑、「６」が青、「９」が黄緑、「＃」が茶色というように、色が制御される。
【０１３２】
続いて、図２０Ｃに示すように、利用者の指が、表示部１５０の中央付近に接触し、指の接触位置が表示部１５０の中央付近になったとき、ボタンキー１１０の中央の列の４つ（「２」、「５」、「８」、「０」）の背面から光を当てるようにバックライト１２０が制御部１４０によって制御される。これにより、ボタンキー１１０の中央の列の４つ（「２」、「５」、「８」、「０」）が光る。このとき、この中央の列の４つのボタンキー１１０が互いに異なる色で光るように制御される。例えば、図２０Ｃに示すように、「２」が赤、「５」が橙、「８」が小豆色、「０」が黄緑というように、色が制御される。
【０１３３】
さらに、図２０Ｄに示すように、利用者の指が、表示部１５０の左側に接触し、指の接触位置が表示部１５０の左側になったとき、ボタンキー１１０の左側の列の４つ（「１」、「４」、「７」、「＊」）の背面から光を当てるようにバックライト１２０が制御部１４０によって制御される。これにより、ボタンキー１１０の左側の列の４つ（「１」、「４」、「７」、「＊」）が光る。このとき、この左側の列の４つのボタンキー１１０が互いに異なる色で光るように制御される。例えば、図２０Ｄに示すように、「１」が黄色、「４」が緑、「７」が水色、「＊」が紫というように、色が制御される。
【０１３４】
また、利用者の指の接触位置の移動方向が、画面の縦方向や斜め方向でも同様の点灯制御が行われる。
【０１３５】
また、複数の指の接触（マルチタッチ）が検知された場合、それぞれの指の接触位置に応じたボタンキー１１０を点灯させるものであっても良い。
【０１３６】
また、通信圏外で電話発信しようとした場合や、記憶されている情報を削除しようとした場合に、その警告としてバックライト１２０に所定のパターンの点灯をさせるものであっても良い。
【０１３７】
また、電話発信や電卓の機能を起動した後、そのための画面が表示部１５０に表示されたとき、バックライト１２０に所定のパターンの点灯をさせるものであっても良い。
【０１３８】
また、上述した点灯の時間は、あらかじめ設定されている時間であっても良い。
【０１３９】
なお、ボタンキー１１０が、ＬＥＤ（Ｌｉｇｈｔ  Ｅｍｉｔｔｉｎｇ  Ｄｉｏｄｅ）等の発光部材をそれぞれ含み、バックライト１２０の役割をも果たすものであっても良いことは言うまでもない。
【０１４０】
上述したように、本発明においては、携帯端末装置１００が受け付けた操作に基づいて、ボタンキー１１０の背面から光を当てるバックライト１２０の点灯を制御部１４０が制御するため、利用者の操作を視覚的にサポートすることができる。また、表示画面と連動したボタンキー１１０の点灯により、利用者は多彩で動的な変化を見て娯楽感覚を楽しむことができる。つまり、アミューズメント性や、利用者の感性価値を向上させることができる。
【０１４１】
上述した携帯端末装置１００に設けられた各構成要素が行う処理は、目的に応じてそれぞれ作製された論理回路で行うようにしても良い。また、処理内容を手順として記述したコンピュータプログラム（以下、プログラムと称する）を携帯端末装置１００にて読取可能な記録媒体に記録し、この記録媒体に記録されたプログラムを携帯端末装置１００に読み込ませ、実行するものであっても良い。携帯端末装置１００にて読取可能な記録媒体とは、フロッピー（登録商標）ディスク、光磁気ディスク、ＤＶＤ、ＣＤなどの移設可能な記録媒体の他、携帯端末装置１００に内蔵されたＲＯＭ、ＲＡＭ等のメモリやＨＤＤ等を指す。この記録媒体に記録されたプログラムは、携帯端末装置１００に設けられた制御部１４０にて読み込まれ、制御部１４０の制御にて、上述したものと同様の処理が行われる。ここで、制御部１４０は、プログラムが記録された記録媒体から読み込まれたプログラムを実行するコンピュータとして動作するものである。
【符号の説明】
【０１４２】
１００    携帯端末装置
１１０    ボタンキー
１２０    バックライト
１３０    操作受け付け部
１４０    制御部
１５０    表示部
１６０    周囲部分
１７０    近接部分
【図１】
2012244230.tif 000003
【図２】
2012244230.tif 000004
【図３】
2012244230.tif 000005
【図７】
2012244230.tif 000006
【図９Ａ】
2012244230.tif 000007
【図９Ｂ】
2012244230.tif 000008
【図９Ｃ】
2012244230.tif 000009
【図１０Ａ】
2012244230.tif 000010
【図１０Ｂ】
2012244230.tif 000011
【図１０Ｃ】
2012244230.tif 000012
【図１３】
2012244230.tif 000013
【図１４】
2012244230.tif 000014
【図１５】
2012244230.tif 000015
【図４】
2012244230.tif 000016
【図５】
2012244230.tif 000017
【図６】
2012244230.tif 000018
【図８Ａ】
2012244230.tif 000019
【図８Ｂ】
2012244230.tif 000020
【図８Ｃ】
2012244230.tif 000021
【図１１Ａ】
2012244230.tif 000022
【図１１Ｂ】
2012244230.tif 000023
【図１１Ｃ】
2012244230.tif 000024
【図１１Ｄ】
2012244230.tif 000025
【図１２Ａ】
2012244230.tif 000026
【図１２Ｂ】
2012244230.tif 000027
【図１２Ｃ】
2012244230.tif 000028
【図１２Ｄ】
2012244230.tif 000029
【図１６】
2012244230.tif 000030
【図１７】
2012244230.tif 000031
【図１８Ａ】
2012244230.tif 000032
【図１８Ｂ】
2012244230.tif 000033
【図１８Ｃ】
2012244230.tif 000034
【図１９Ａ】
2012244230.tif 000035
【図１９Ｂ】
2012244230.tif 000036
【図１９Ｃ】
2012244230.tif 000037
【図１９Ｄ】
2012244230.tif 000038
【図２０Ａ】
2012244230.tif 000039
【図２０Ｂ】
2012244230.tif 000040
【図２０Ｃ】
2012244230.tif 000041
【図２０Ｄ】
2012244230.tif 000042